(57)【要約】【課題】手提げ袋等の袋の開口部の封緘目的だけでなく、自社の宣伝広告も出来、さらには、経費の節減出来る封緘シール及び当該封緘シールを効率的に製造出来る方法を提供する。【解決手段】適宜の形状で表面に絵から成るパターン１ａを施し、裏面に粘着剤層を設けたシール１、２枚を間を開けて並設し、当該２枚のシール１の裏面の間に一定幅のリボン２を渡して各シール１の粘着剤層の一部で貼着して当該２枚のシール１を上記リボン２により繋ぎ、少なくとも当該２枚のシール１の裏面の粘着剤層に剥離紙を設けて成る。【選択図】図１
2014227207.tif 000002
【特許請求の範囲】
【請求項１】
適宜の形状で表面に文言、絵又は写真から成るパターンを施し、裏面に粘着剤層を設けたシール２枚を間を開けて並設し、当該２枚のシールの裏面の間に一定幅の帯状体を渡して各シールの粘着剤層の一部で貼着して当該２枚のシールを上記帯状体により繋ぎ、少なくとも当該２枚のシールの裏面の粘着剤層に剥離紙を設けて成ることを特徴とした、袋の開口部用封緘シール。
【請求項２】
適宜の形状で表面に文言、絵又は写真から成るパターンを施し、裏面に粘着剤層を設けたシール２枚を間を開けて並設し、当該２枚のシールの裏面の間に一定幅の帯状体を渡して各シールの粘着剤層の一部で貼着して当該２枚のシールを上記帯状体により繋ぎ、
当該２枚の各シールの裏面の外側から帯状体を、各粘着剤層の一部にその端部を貼着して突出させ、少なくとも当該２枚のシールの裏面の粘着剤層に剥離紙を設けて成ることを特徴とした、袋の開口部用封緘シール。
【請求項３】
上記帯状体としてリボンを使用することを特徴とした、上記請求項１又は２の何れかに記載の袋の開口部用封緘シール。
【請求項４】
剥離紙の表面に一定幅の帯状体を伸ばして載置し、当該帯状体を間に挟み、当該帯状体の両端縁に沿って当該両端縁上の一部に被さって、
表面に文言、絵又は写真によるパターンを連続して並設し、裏面に粘着剤層を設けて成るシート２枚を相対向して載置し、当該シート２枚の各粘着剤層を剥離層及び上記帯状体に張り付け、
上記２枚のシートの相対向する各パターンを１組として、上方から適宜の形状の抜き型で打ち抜いて上記請求項１の封緘シールを形成することを特徴とした、袋の開口部用封緘シールの製造方法。
【請求項５】
剥離紙の表面に一定幅の帯状体を伸ばして載置し、当該帯状体を間に挟んで間隔をあけて左右に一定幅の帯状体を伸ばして載置し、
上記各帯状体の間に、当該帯状体の各端縁に沿ってかつ当該帯状体の端縁上の一部に被さって、
表面に文言、絵又は写真によるパターンを連続して並設し、裏面に粘着剤層を設けて成るシート２枚を相対向して載置し、当該シート２枚の各粘着剤層を剥離層及び上記帯状体に張り付け、
上記２枚のシートの相対向する各パターンを１組として、上方から適宜の形状の抜き型で打ち抜いて上記請求項２の封緘シールを形成することを特徴とした、袋の開口部用封緘シールの製造方法。
【発明の詳細な説明】
【技術分野】
【０００１】
この発明は、デパートやその他の小売店等で購入した商品等を入れて持ち帰る際などに使用するもので、上部が開口して、当該開口部の相対向する端縁の略中央に一組の紐状の把手部を設けた、いわゆる手提げ袋（以下、単に『手提げ袋』と言う）等の袋の上記開口部に取付けて封緘する封緘シール及び当該封緘シールの製造方法に関するものである。
【背景技術】
【０００２】
従来、上記手提げ袋の役割としては、まず、商品を包装する。また、購入した商品を自宅等まで持ち運ぶ。さらには、包装材としてだけの使用ではなく、企業名、ショップ名又はブランド名を印刷して広告宣伝効果を持たせる、等々の役割が有る。
【０００３】
しかしながら、上記広告宣伝について述べれば、クリスマスなどの個々のイベントにおいて、ショップ独自の販売促進用の手提げ袋をその都度、作成していたのでは、経費がかかり、ショップの利益を確保することは容易では無い。
【０００４】
一方、上記手提げ袋の中に商品を入れた際、外部から商品が見えない様に、また、外部からほこりや虫などが袋の内側に入り込まない様に、さらには、この袋に衝撃が加えられた際に商品が外部に飛び出さない様に、当該手提げ袋の開口部の略中央あたりにセロテープ（登録商標）やシールなどを貼り、開口部を略封鎖している。
【０００５】
この様なものとして、特許文献１に記載されたものがある。これは、手提げ袋において、開口部の上端に、易剥離性粘着剤を塗布した封緘テープを取り付け、袋本体の開口部を閉止可能とし、当該封緘テープの先端に、非接着部を設け、そこを掴み部としたもので、当該袋の閉鎖された開口部から封緘テープを容易に取り外すことが出来るというものである。
【特許文献１】特開２０００−１５７３１７号公報
【発明の開示】
【発明が解決しようとする課題】
【０００６】
しかしながら、上記特許文献１の封緘テープは、袋を開閉することと安価な製造を目的としており、この封緘テープは、無色透明な合成樹脂シートから成る基材の上に易剥離性接着剤を塗布して成るものであり（特許文献１公報段落００１７）、装飾性も無ければ人の興味を引くことも無い、機能のみを追求したものである。
【０００７】
そんな中、上記の様な封緘テープは、袋の上部の比較的目立つところに有り、単に、封緘だけの目的で使用するのではもったいないという意見がある。また、企業や商店にとって、このような封緘テープ等を使用することにより、自社の宣伝広告が出来、また、それが経費節減にもつながるのであれば、望まれるものである。
【０００８】
この発明は、これらの点に鑑みて為されたもので、手提げ袋等の開口部の封緘目的だけでなく、自社の宣伝広告も出来、さらには、包装全体の経費の節減が出来る袋の開口部用封緘シール及び当該封緘シールを効率的に製造出来る方法を提供して上記課題を解決するものである。
【課題を解決するための手段】
【０００９】
請求項１の発明は、適宜の形状で表面に文言、絵又は写真から成るパターンを施し、裏面に粘着剤層を設けたシール２枚を間を開けて並設し、当該２枚のシールの裏面の間に一定幅の帯状体を渡して各シールの粘着剤層の一部で貼着して当該２枚のシールを上記帯状体により繋ぎ、少なくとも当該２枚のシールの裏面の粘着剤層に剥離紙を設けて成る袋の開口部用封緘シールとした。
【００１０】
請求項２の発明は、適宜の形状で表面に文言、絵又は写真から成るパターンを施し、裏面に粘着剤層を設けたシール２枚を間を開けて並設し、当該２枚のシールの裏面の間に一定幅の帯状体を渡して各シールの粘着剤層の一部で貼着して当該２枚のシールを上記帯状体により繋ぎ、当該２枚の各シールの裏面の外側から帯状体を、各粘着剤層の一部にその端部を貼着して突出させ、少なくとも当該２枚のシールの裏面の粘着剤層に剥離紙を設けて成る袋の開口部用封緘シールとした。
【００１１】
請求項３の発明は、上記帯状体としてリボンを使用する上記請求項１又は２の何れかに記載の袋の開口部用封緘シールとした。
【００１２】
請求項４の発明は、剥離紙の表面に一定幅の帯状体を伸ばして載置し、当該帯状体を間に挟み、当該帯状体の両端縁に沿って当該両端縁上の一部に被さって、表面に文言、絵又は写真によるパターンを連続して並設し、裏面に粘着剤層を設けて成るシート２枚を相対向して載置し、当該シート２枚の各粘着剤層を剥離層及び帯状体に張り付け、上記２枚のシートの相対向する各パターンを１組として、上方から適宜の形状の抜き型で打ち抜いて上記請求項１の封緘シールを形成する袋の開口部用封緘シールの製造方法とした。
【００１３】
請求項５の発明は、剥離紙の表面に一定幅の帯状体を伸ばして載置し、当該帯状体を間に挟んで間隔をあけて左右に一定幅の帯状体を伸ばして載置し、上記各帯状体の間に、当該帯状体の各端縁に沿ってかつ当該帯状体の端縁上の一部に被さって、表面に文言、絵又は写真によるパターンを連続して並設し、裏面に粘着剤層を設けて成るシート２枚を相対向して載置し、当該シート２枚の各粘着剤層を剥離層及び上記帯状体に張り付け、上記２枚のシートの相対向する各パターンを１組として、上方から適宜の形状の抜き型で打ち抜いて上記請求項２の封緘シールを形成する袋の開口部用封緘シールの製造方法とした。
【発明の効果】
【００１４】
請求項１及び２の各発明によれば、封緘シールのシール表面に、文言、絵又は写真から成るパターンを形成したので、この封緘シールを袋等に使用するだけで、既製デザインの袋等を、簡単かつ安価で、自社の商品販売や商品販売促進に合わせたオリジナルのものとすることが出来る。また、企業のブランド力の向上にもつながる。さらに、クリスマス等のカレンダーイベント毎の販売促進を容易かつ安価に行うなうことが出来る。既存の袋等を、簡単かつ安価で、展示会などの専用の袋にすることが出来る。
【００１５】
さらに、この封緘シールを使用することが出来るのは、手提げ袋に限らず、開口を閉じるものであるならば、他の様々のものに使用することが出来、汎用性も高く、使い勝手が良いものである。
【００１６】
請求項３の発明によれば、上記帯状体としてリボンを使用したので、封緘シールを明るく、華やかで上品なものにしてくれ、需要者の選択の幅を増やし、需要を伸ばすものである。
【００１７】
また、請求項４の発明によれば、シールを有する２枚のシート及び帯状体を剥離紙に並べて、１回又は数回の打ち抜きで簡単に、２枚のシールを帯状体でつなげた封緘シールを製造することが出来、封緘シールの大量生産が短時間で可能となるものである。
【００１８】
また、請求項５の発明によれば、シールを有する２枚のシート及び３つの帯状体を剥離紙の上に並べて、１回又は数回の打ち抜きで簡単に、２枚のシールを帯状体でつなげ、さらに各シールの外縁から帯状体の一部を突出させた封緘シールを製造することが出来、封緘シールの大量生産が短時間で可能となるものである。
【図面の簡単な説明】
【００１９】
【図１】この発明の実施の形態例１の封緘シールを上部の開口に使用した手提げ袋の斜視図である。
【図２】この発明の実施の形態例１の封緘シールの平面図である。
【図３】この発明の実施の形態例１の剥離紙を剥がした状態の封緘シールの裏面図である。
【図４】この発明の実施の形態例１のパターンを連続して設けたシートと剥離紙とを一体に貼り付けてロール状に巻いた状態の斜視図である。
【図５】この発明の実施の形態例１の封緘シールの第１抜き加工に用いる刃型の底面図である。
【図６】この発明の実施の形態例１の封緘シールの製造過程において、相対向する各パターンの間部分を切断して、剥がした状態の平面図である。
【図７】この発明の実施の形態例１の封緘シールの製造過程において、剥離紙の上にリボンを載置した状態の平面図である。
【図８】この発明の実施の形態例１の封緘シールの製造過程において、剥離紙の上にリボンを載置し、さらに、その上からシートを相対向させて載置した状態の平面図である。
【図９】上記図８における縦断面図である。
【図１０】この発明の実施の形態例１の封緘シールの第２抜き加工に用いる抜き型の底面図である。
【図１１】この発明の実施の形態例２の封緘シールの平面図である。
【図１２】この発明の実施の形態例２の封緘シールを手提げ袋に使用した状態の一部正面図である。
【図１３】この発明の実施の形態例２の封緘シールにおいて、剥離紙の上に複数枚のリボンを間隔をあけて載置し、さらに、その上からシートを相対向させて載置した状態の平面図である。
【図１４】上記図１３における縦断面図である。
【図１５】この発明の実施の形態例２の封緘シールの第２抜き加工に用いる抜き型の底面図である。
【図１６】この発明の実施の形態例の他の例の封緘シールを手提げ袋に使用した状態の一部正面図である。
【図１７】（ｑ）この発明の実施の形態例のさらに他の例の封緘シールの平面図である。（ｒ）この発明の実施の形態例のさらに他の例の封緘シールの平面図である。
【図１８】（ｓ）この発明の実施の形態例の上記図１７の（ｑ）の封緘シールを手提げ袋に使用した状態の一部正面図である。（ｔ）この発明の実施の形態例の上記図１７の（ｒ）の封緘シールを手提げ袋に使用した状態の一部正面図である。
【図１９】この発明の実施の形態例のさらに他の例の封緘シールを手提げ袋に使用した状態の一部正面図である。
【図２０】この発明の実施の形態例のさらに他の例の封緘シールを手提げ袋に使用した状態であって、表層をめくって、メッセージ欄を示した状態の一部正面図である。
【図２１】（ａ）この発明の実施の形態例の他の例であって、剥離紙を剥がした状態の封緘シールの表面にハロウイーンのパターンを記載した一部平面図である。（ｂ）この発明の実施の形態例の他の例であって、剥離紙を剥がした状態の封緘シールの表面にバレンタインデイのパターンを記載した一部平面図である。（ｃ）この発明の実施の形態例の他の例であって、剥離紙を剥がした状態の封緘シールの表面にホワイトデイのパターンを記載した一部平面図である。（ｄ）この発明の実施の形態例の他の例であって、剥離紙を剥がした状態の封緘シールの表面に母の日のパターンを記載した一部平面図である。（ｅ）この発明の実施の形態例の他の例であって、剥離紙を剥がした状態の封緘シールの表面に父の日のパターンを記載した一部平面図である。（ｆ）この発明の実施の形態例の他の例であって、剥離紙を剥がした状態の封緘シールの表面に誕生日のパターンを記載した一部平面図である。（ｇ）この発明の実施の形態例の他の例であって、剥離紙を剥がした状態の封緘シールの表面に犬のキャラクターのパターンを記載した一部平面図である。（ｈ）この発明の実施の形態例の他の例であって、剥離紙を剥がした状態の封緘シールの表面に開店記念セールのパターンを記載した一部平面図である。
【図２２】（ｉ）この発明の実施の形態例の他の例であって、剥離紙を剥がした状態の封緘シールの表面に招き猫のパターンを記載した一部平面図である。（ｊ）この発明の実施の形態例の他の例であって、剥離紙を剥がした状態の封緘シールの表面に花束のパターンを記載した一部平面図である。（ｋ）この発明の実施の形態例の他の例であって、剥離紙を剥がした状態の封緘シールの表面にフラワーギフトのパターンを記載した一部平面図である。（ｌ）この発明の実施の形態例の他の例であって、剥離紙を剥がした状態の封緘シールの表面にブランド名のパターンを記載した一部平面図である。（ｍ）この発明の実施の形態例の他の例であって、剥離紙を剥がした状態の封緘シールの表面に敬老の日のパターンを記載した一部平面図である。（ｎ）この発明の実施の形態例の他の例であって、剥離紙を剥がした状態の封緘シールの表面に結婚式（引き出物）のパターンを記載した一部平面図である。（ｏ）この発明の実施の形態例の他の例であって、剥離紙を剥がした状態の封緘シールの表面に赤ちゃんのパターンを記載した一部平面図である。（ｐ）この発明の実施の形態例の他の例であって、剥離紙を剥がした状態の封緘シールの表面にリボンのパターンを記載した一部平面図である。
【発明を実施するための形態】
【００２０】
（実施の形態例１）
以下、この発明の実施の形態例１の封緘シールを図に基づいて説明する。この封緘シールＡは、図２及び図３に示す様に、紙製の円板状のシール１を２枚、間を開けて並べて設け、これらの２枚のシール１、１の裏面であって、２枚のシール１、１の間に一定幅のリボン２を渡してこれら２枚のシール１、１を繋いでおり、これら２枚のシール１、１及びリボン２の裏面に剥離紙３ｂを設けて成る。また、リボン２には解れ防止のために糊引きがなされている。
【００２１】
また、この封緘シールＡのシール１の表面にはクリスマス用のパターン１ａが設けられている。具体的には、リースを背景にし、その前に「Merry X ’mas」の文字を入れている。また、シール１の裏面に粘着剤層１ｂを設けており（図３参照）、この粘着剤層１ｂの下面に剥離紙３ｂを当接して貼り付けている。また、リボン２は各シール１の粘着剤層１ｂの一部に貼着されており、リボン２の裏面には粘着剤層１ｂは設けられていない。
【００２２】
次に、この封緘シールＡの製造方法を説明する。図４に示す様に、一定幅を有し、裏面に、粘着剤層１ｂを介して剥離紙３ａを備えたシート４上に、上記パターン１ａを２つづつ並べて連続して印刷し、このシート４をロール状に巻き付けて形成する。この様なシート４を一定長伸ばし、さらに、このシート４の相対向する各パターン１ａの間部分に対して、上方から、図５に示す様な刃型１０を連続して押圧して打ち抜き加工を行い（第１抜き加工）、図６に示す様に、並んだ２つのパターン１ａの間の不要な部分のシート４を取り除く。この時、上記刃型１０はシール部分のみを切断し、剥離紙３ａは切断しない。
【００２３】
その後、図７に示す様に、長方形状で大きな剥離紙３ｂを用意し、この剥離紙３ｂ表面の長手方向の略中央に一定幅かつ一定長のリボン２を伸ばして載置する。そして、このリボン２を間に挟み、上記不要な部分を取り除いたシート４を剥離紙３ａから夫々剥がして、図８及び図９に示す様に、上記リボン２の両端縁に沿ってかつこのリボン２の両端縁上の一部に被さって、上記シート４を相対向して載置する。その後、これらのシート４を上方から押圧して、各シート４は、裏面の粘着剤層１ｂにより剥離紙３ｂに貼着される。また、これと同時に、リボン２の両端部も、両側の各シート４の裏面の粘着剤層１ｂに貼着される。
【００２４】
その後、上記２つのシート４の相対向する各パターン１ａを１組として、図１０に示す様な、２つの円形状のシールをリボンでつないだ外郭形状（以下、「略ダンベル形状」と言う）の抜き型５で、上方から押し当てて，上記剥離紙３ｂの上面にリボン２及びシート４を重ねたものを打ち抜いて切断し、極めて容易にこの封緘シールＡを形成することが出来る（第２抜き加工）。
【００２５】
この時、この抜き型５の略ダンベル形状の刃５ａは、上記剥離紙３ｂまで伸びず、上記シート４とリボン２までしか切断出来ないようになっている。その後、各パターン１ａ以外の部分のシート４や不要なリボン部分を剥離紙３ｂの上から剥ぎ取る。これにより、図２のものが出来上がる。
【００２６】
さらに、上記封緘シールＡを実際に使う様子を説明する。図１に示す様に、手提げ袋Ｂに使用する。まず、この封緘シールＡの裏面の剥離紙３ｂを剥がし、取り付ける手提げ袋Ｂの上部の開口を手で仮止めしてこの開口の相対向する中央の端縁に、封緘シールＡのリボン２の部分を跨らせて両端に有るシール１、１を手提げ袋Ｂの側面に強く押圧し、各裏面の粘着剤層１ｂによって貼り付ける。
【００２７】
これで、この手提げ袋Ｂの上部の開口を容易に閉じることが出来、また、今が、１２月のクリスマスプレゼントの時期として、この封緘シールＡのシール１のクリスマスのパターン１ａがクリスマスの雰囲気を大いに盛り上げてくれるものとなる。
【００２８】
また、この封緘シールＡでは、イベントに関するパターンの他、文言や写真なども印刷することが出来、さらに、形、サイズ及び印刷等を夫々自由に設定することが出来、自分（自社）だけの封緘シールを作成することが出来る。
【００２９】
（実施の形態例２）
また、上記クリスマスのパターン１ａの封緘シールＡに代えて、図１１に示す様に、シール６のパターン６ａとして、表面に金箔を施し、その上に英文字で「Present」と記載し、また、このシール６の下辺から二方向にリボンの脚部７ｃを夫々突出させたものを使用することも出来る。この様にすると、図１２に示す様に、手提げ袋Ｂに取付けた時、見た目にもかなり豪華な封緘シールＣとなる。
【００３０】
製造方法としては、突出したリボンの脚部７ｃを設ける手間が増えるが、基本的な工程は、上記封緘シールＡと同様である。裏面に、粘着剤層６ｂ（図１４参照）を介して剥離紙を裏面に備えたシート１１上に、上記パターン６ａを２つづつ並べて連続して印刷し、このシート１１をロール状に巻き付けて形成する（図示省略）。この様なシート１１を一定長伸ばし、さらに、このシート１１の２つ並んだ各パターン６ａの間部分に対して、上方から、刃型（図示省略）を連続して押圧してシート１１の不要部分の打ち抜き加工を行い（第１抜き加工）、リボン７ａを取り付ける部分の不要なシート１１を取り除く。この時、上記刃型はシール部分のみを切断し、剥離紙は切断しない。
【００３１】
その後、図１３に示す様に、長方形状の大きな剥離紙１２を用意し、この剥離紙１２表面の長手方向の中央に一定幅かつ一定長のリボン７ａを伸ばして載置する。また、上記リボン７ａを挟んでその左右夫々に一定幅かつ一定長のリボン７ｂを間隔をあけて載置する。これらのリボン７ａ、７ｂ上には、予め一定間隔でリボンの柄がプリントされている。そして、上記リボン７ａとリボン７ｂとの間に、これらのリボン７ａ、７ｂの各端縁に沿ってかつこれらのリボン７ａ、７ｂの端縁上の一部に被さって、上記不要なシールを取り除いたシート１１を剥離紙から剥がして、相対向して載置する。その後、これらのシート１１を上方から押圧して、図１４に示す様に、各シート１１は、裏面の粘着剤層６ｂにより剥離紙１２に貼着される。また、これと同時に、リボン７ａ、７ｂの各端部も、両側の各シート１１の裏面の粘着剤層６ｂの一部に貼着される。
【００３２】
その後、上記２つのシート１１の相対向する各パターン６ａを１組として、図１５に示す様な、２つの略星型の円形状のシールをリボンでつないだ外郭形状（以下、「略ダンベル形状」と言う）の抜き型１３で、上方から押し当てて，上記剥離紙１２の上面のリボン７ａ、７ｂ及びシート１１を重ねたものを打ち抜いて切断し、極めて容易にこの封緘シールＣを形成することが出来る（第２抜き加工）。その後、各シート１１及びリボン７ａ、７ｂの余分な部分をはぎ取る。
【００３３】
また、上記パターン１ａ、６ａに代えて、図１６に示す様に、会社名やショップ名、又はブランド名を入れたものを使用すると、手提げ袋Ｂが無地のものの場合であっても、この封緘シールＤを使用するだけで、会社名やショップ名、又はブランド名を広告宣伝することが出来る。また、この封緘シールＤを使用することにより、無地の手提げ袋であってもこの封緘シールにより、全体として自社のオリジナル品とすることが出来る。
【００３４】
また、図１７及び図１８に示す様に、封緘シールＥ、Ｆのリボン８、９として、一定の面積を有するものを用意し、これの略中央を菱形等に型抜きして通孔８ａ、９ａを設け、さらに、このリボン８の文字「Patisserie QUEEN ALICE」８ｂとリボン９の枠９ｂに金箔を施している。こうすることにより、封緘シールＥ、Ｆではより豪華なイメージを持たせることが出来、また、シールとリボンとの組み合わせの幅も広がり、選択の余地も広がる。
【００３５】
また、図１９及び図２０に示す様に、封緘シールＡ´のシールの表面を二層構造として、表層１４をめくると、下にメッセージ欄１５が出て来るようにして、メッセージを書き残すことも出来る。
【００３６】
この実施の形態例の封緘シールにおいては、上述の様に、形、サイズ及び印刷を夫々自由に選択することが出来る。また、シールの粘着剤としては、いわゆる一回接着だけのものと、繰り返し何度でも貼り替えが出来るものを選択することが出来る。また、シールの素材としては、一般のシールと同様に、キャストコート紙、金銀ホイル紙、フィルムベース、和紙タック紙、フェルトの各種の素材を選ぶことが出来る。また、印刷は、一般のシールと同様に、１〜４色印刷から金銀箔押しが出来る。また、シールの加工としては、エンボス加工、リオトーン加工又はラミネート加工等が出来る。ラミネート加工を施すようにすれば、雨天時に雨がかかったとしてもはじいて安心である。この様に、需要者の選択の幅はさらに広がるものである。
【００３７】
また、リボンについては、サテンリボン、フィルムリボン、紐リボン又は紙リボン（シールと一体になる）等から選択する。
【００３８】
この様に、実施の形態例の封緘シールを使用するだけで、(ア)既製デザインの手提げ袋を、簡単に、自社の商品販売や商品販売促進に合わせたオリジナルの手提げ袋とすることが出来る。(イ)ショップのブランド力のアップにつながる。(ウ)クリスマス等のカレンダーイベント毎の販売促進を行うなうことが容易に出来る。(エ)需要者の個人的なイベント、例えば誕生日、結婚式等の需要の喚起を呼び起こすことが出来、この封緘シールの需要に拍車をかけることが出来る。(オ)既存の手提げ袋を、簡単に、展示会などの専用の手提げ袋にすることが出来る等々の効果を奏することが出来る。
【００３９】
なお、上記実施の形態例では、封緘シールを手提げ袋に使用したが、手提げの無い袋に使用しても良く、また、これらの封緘シールを使用することにより、上記実施の形態例と同様の効果を奏することが出来る。
【００４０】
また、上記実施の形態例では、第１抜き加工及び第２抜き加工を行っており、もちろん第１抜き加工を行った方がきれいに縁取りされた封緘シールが出来るが、封緘シールＡなどシンプルな形状で、パターン１ａの上部の縁取りが求められない場合、第１抜き加工を省略しても良い。
【００４１】
また、封緘シールのシールの表面のパターンとして、クリスマス用又はプレゼント用のパターンを使用しているが、この封緘シールの表面には、上記のものに限らず、図２１に示す様に、(a)ハロウイーン、(b)バレンタインデイ、(c)ホワイトデイ、(d)母の日、(e)父の日、(f)誕生日、(g)犬のキャラクターの絵、(h)開店記念セール、また、図２２に示す様に、(i)招き猫、(j)花束、 (k) フラワーギフト、(l)ブランド名、(m)敬老の日、(n)結婚式（引き出物）、(o)赤ちゃん、(p)リボン等々顧客が望むものなら何でも記載することが出来る。
【００４２】
また、リボン２を糊引きしているが、布の種類によっては無くても良い。
【符号の説明】
【００４３】
Ａ    封緘シール          Ａ´  封緘シール          Ｂ    手提げ袋
Ｃ    封緘シール          Ｄ    封緘シール          Ｅ    封緘シール
Ｆ    封緘シール          Ｇ    封緘シール
１    シール              １ａ  パターン          １ｂ  接着剤層
２    リボン              ３ａ  剥離紙            ３ｂ  剥離紙
４    シート              ５    抜き型            ５ａ  刃型
６    シール              ６ａ  パターン          ７ａ  リボン
７ｂ  リボン              ７ｃ  リボンの脚部      ８    リボン
８ａ  通孔                ８ｂ  文字              ９    リボン
９ａ  通孔                ９ｂ  枠              １０    刃型
１１  シート            １２    剥離紙          １３    抜き型
１４  表層              １５    メッセージ欄
【図１】
2014227207.tif 000003
【図２】
2014227207.tif 000004
【図３】
2014227207.tif 000005
【図４】
2014227207.tif 000006
【図５】
2014227207.tif 000007
【図６】
2014227207.tif 000008
【図７】
2014227207.tif 000009
【図８】
2014227207.tif 000010
【図９】
2014227207.tif 000011
【図１０】
2014227207.tif 000012
【図１１】
2014227207.tif 000013
【図１２】
2014227207.tif 000014
【図１３】
2014227207.tif 000015
【図１４】
2014227207.tif 000016
【図１５】
2014227207.tif 000017
【図１６】
2014227207.tif 000018
【図１７】
2014227207.tif 000019
【図１８】
2014227207.tif 000020
【図１９】
2014227207.tif 000021
【図２０】
2014227207.tif 000022
【図２１】
2014227207.tif 000023
【図２２】
2014227207.tif 000024